(57)【要約】【課題】負荷機器毎の消費電力の要求値を負荷機器３０ａ〜３０ｚにおいて動作に伴って消費可能である電力の範囲内で選定するエネルギーマネージメント機器２０を提供する。【解決手段】負荷機器３０ａ〜３０ｚは、電力によって動作可能に構成され、動作に伴って消費可能である消費電力の計画値を少なくとも１つ以上含む消費電力計画を通信ネットワーク２を通してエネルギーマネージメント機器２０に送信する。エネルギーマネージメント機器２０は、負荷機器３０ａ〜３０ｚから受信した消費電力計画を集計してこの集計された結果に基づいて、負荷機器３０ａ〜３０ｚへの消費電力の要求値を組み合わせて負荷機器３０ａ〜３０ｚへの消費電力の要求値の総計ＰＹをエネルギー統括装置１０から受信される消費電力推奨値ＰＳに近づける。【選択図】図１
2019041501.tif 000002
【特許請求の範囲】
【請求項１】
エネルギーマネージメント機器（２０）と、
電力によって動作が可能に構成され、動作に伴う消費電力の計画値を少なくとも１つ以上含む消費電力計画を前記エネルギーマネージメント機器に送信する負荷機器（３０ａ〜３０ｚ）と、を備え、
前記エネルギーマネージメント機器は、前記負荷機器からの前記消費電力計画を集計してこの集計された結果に基づいて、前記負荷機器に対して消費を要求すべき消費電力の要求値を前記負荷機器において動作に伴って消費可能な電力の範囲内で選定するエネルギーマネージメントシステム。
【請求項２】
前記エネルギーマネージメント機器は、前記選定された前記消費電力の要求値を前記負荷機器に送信する請求項１に記載のエネルギーマネージメントシステム。
【請求項３】
前記負荷機器は、その消費電力を前記エネルギーマネージメント機器から受信した前記消費電力の要求値に近づけるように動作する請求項２に記載のエネルギーマネージメントシステム。
【請求項４】
前記負荷機器を複数、備え、
前記エネルギーマネージメント機器は、前記複数の負荷機器から受信した前記消費電力計画を集計してこの集計された結果に基づいて、前記負荷機器毎の前記消費電力の要求値を前記負荷機器において動作に伴って消費可能な電力の範囲内で選定する請求項１または２に記載のエネルギーマネージメントシステム。
【請求項５】
電力によって動作が可能に構成され、動作に伴う消費電力の計画値を少なくとも１つ以上含む消費電力計画を前記エネルギーマネージメント機器に送信する負荷機器（３０ａ〜３０ｚ）を備えるエネルギーマネージメントシステムに適用され、
前記負荷機器から受信した前記消費電力計画を集計してこの集計された結果に基づいて、前記負荷機器に対して消費を要求すべき消費電力の要求値を前記負荷機器において動作に伴って消費可能な電力の範囲内で選定するエネルギーマネージメント機器。
【請求項６】
エネルギーマネージメント機器（２０）を備えるエネルギーマネージメントシステムに適用され、
電力によって動作が可能に構成され、動作に伴う消費電力の計画値を少なくとも１つ以上含む消費電力計画を前記エネルギーマネージメント機器に送信する送信部（２１）を備える負荷機器。
【請求項７】
前記送信部は、互いに異なる複数の前記消費電力の計画値を含む前記消費電力計画を前記エネルギーマネージメント機器に送信する請求項６に記載の負荷機器。
【請求項８】
前記消費電力の計画値は、動作に伴って消費が可能である電力の上限値、および電力の下限値を示している請求項６または７に記載の負荷機器。
【発明の詳細な説明】
【技術分野】
【０００１】
本発明は、エネルギーマネジメントシステム、エネルギーマネージメント機器、負荷機器に関するものである。
【背景技術】
【０００２】
従来、エネルギ需要調整システムでは、複数のヒートポンプ機器を管理するエネルギー管理装置と、通信回線を介してエネルギー管理装置に接続された電力会社のエネルギー統括装置とを備えたものがある（例えば、特許文献１参照）。
【０００３】
エネルギー管理装置は、エネルギー統括装置から総消費要求を受信し、この総消費要求に含まれているエネルギー消費推奨値に基づいて、複数のヒートポンプ機器へ要求するエネルギー消費要求値を選定する。
【０００４】
エネルギー管理装置は、エネルギー消費要求値を複数のヒートポンプ機器のそれぞれに送信する。このため、複数のヒートポンプ機器は、それぞれ、エネルギー消費要求値に合わせて運転する。これにより、電力会社からのエネルギー消費推奨値に基づいて、ヒートポンプ機器のエネルギー消費を調整することができる。
【先行技術文献】
【特許文献】
【０００５】
【特許文献１】特許５９９４２８２号明細書
【発明の概要】
【発明が解決しようとする課題】
【０００６】
上記特許文献１のエネルギ需要調整システムでは、エネルギー管理装置は、エネルギー消費推奨値に基づいて、ヒートポンプ機器へ要求するエネルギー消費要求値を選定する。このため、エネルギー管理装置は、ヒートポンプ機器の動作制約を考慮しないエネルギー消費要求値を選定する恐れがある。
【０００７】
例えば、エネルギー管理装置は、ヒートポンプ機器において動作に伴って消費可能な電力の上限値よりも大きなエネルギー消費要求値を選定すると、ヒートポンプ機器は、エネルギー消費要求値に対応した電力消費を実施するための動作を行うことができない。つまり、ヒートポンプ機器は、エネルギー管理装置によって選定されたエネルギー消費要求値に対応することができない。
【０００８】
本発明は上記点に鑑みて、エネルギーマネージメント機器において、負荷機器に対して消費を要求すべき消費電力の要求値を負荷機器において消費可能である電力の範囲内で選定するようにしたエネルギーマネジメントシステムを提供することを第１の目的とし、さらに、このようなエネルギーマネジメントシステムに適したエネルギーマネージメント機器、および負荷機器を提供することを第２目的とする。
【課題を解決するための手段】
【０００９】
上記目的を達成するため、請求項１に記載の発明では、エネルギーマネージメント機器（２０）と、
電力によって動作が可能に構成され、動作に伴う消費電力の計画値を少なくとも１つ以上含む消費電力計画をエネルギーマネージメント機器に送信する負荷機器（３０ａ〜３０ｚ）と、を備え、
エネルギーマネージメント機器は、負荷機器からの消費電力計画を集計してこの集計された結果に基づいて、負荷機器に対して消費を要求すべき消費電力の要求値を負荷機器において動作に伴って消費可能な電力の範囲内で選定する。
【００１０】
これにより、エネルギーマネージメント機器において、消費電力の要求値を負荷機器で消費可能である電力の範囲内で選定するようにしたエネルギーマネジメントシステムを提供することができる。
【００１１】
なお、この欄および特許請求の範囲で記載した各手段の括弧内の符号は、後述する実施形態に記載の具体的手段との対応関係を示すものである。
【図面の簡単な説明】
【００１２】
【図１】本発明の一実施形態におけるエネルギーマネージメントシステムの全体構成を示す図である。
【図２】一実施形態におけるエネルギーマネージメント機器の構成を示す図である。
【図３】一実施形態における負荷機器の構成を示す図である。
【図４】一実施形態における負荷機器の具体例としてのヒートポンプ式給湯器の構成を示す図である。
【図５】一実施形態におけるエネルギーマネージメントシステムの作動を説明するためのフローチャートである。
【発明を実施するための形態】
【００１３】
以下、本発明の実施形態のエネルギーマネージメントシステム１について図１に基づいて説明する。
【００１４】
エネルギーマネージメントシステム１は、エネルギー統括装置１０、エネルギーマネージメント機器２０、および負荷機器３０ａ、３０ｂ、３０ｃ・・・３０ｚを備える。
【００１５】
エネルギー統括装置１０、エネルギーマネージメント機器２０、および負荷機器３０ａ、３０ｂ、３０ｃ・・・３０ｚは、インターネット等の通信ネットワーク２を介して接続されている。
【００１６】
図２のエネルギー統括装置１０は、サーバコンピュータ等から構成され、電力会社が保有する電力系統における電力の需要と供給とが合うように調節するために、時間帯毎（例えば、１分毎）における電力消費に関する消費電力推奨値を決定する。
【００１７】
エネルギーマネージメント機器２０は、サーバコンピュータ等から構成されて、通信部２１、および制御部２２を備える。通信部２１は、通信ネットワーク２を介してエネルギー統括装置１０或いは負荷機器３０ａ、３０ｂ、３０ｃ・・・３０ｚと通信する通信回路である。
【００１８】
なお、通信部２１は、電力消費計画問い合わせ部２１ａ、電力消費計画受信部２１ｂ、および電力消費要求値送信部２１ｃを備える。なお、負荷機器の符号の記載を簡素化するために、以下、負荷機器３０ａ、３０ｂ、３０ｃ・・・３０ｚを負荷機器３０ａ・・・３０ｚと記する。
【００１９】
制御部２２は、マイクロコンピュータ、メモリ、および周辺回路などから構成されている。制御部２２は、負荷機器３０ａ・・・３０ｚから受信される消費電力計画やエネルギー統括装置１０から受信される消費電力の要求値に基づいて、負荷機器３０ａ・・・３０ｚに対して消費を要求すべき消費電力の要求値を負荷機器３０ａ・・・３０ｚにおいて動作に伴って消費可能である電力の範囲内で選定する処理を実施する。なお、制御部２２は、負荷機器情報集計部２２ａ、および組み合わせ選定部２２ｂを備える。
【００２０】
図３の負荷機器３０ａ、３０ｂ、３０ｃ・・・３０ｚは、それぞれ、通信部３１、制御部３２、運転部３３、および操作部３４を備える。
【００２１】
通信部３１は、通信ネットワーク２を介してエネルギーマネージメント機器２０との間で通信する通信回路である。なお、通信部３１は、電力消費計画送信部３１ａ、および電力要求値受信部３１ｂを備える。
【００２２】
制御部３２は、操作者から操作部３４へ入力される入力値に応じて消費電力計画を算出しこの消費電力計画をエネルギーマネージメント機器２０に送信し、エネルギーマネージメント機器２０から受信された消費電力の要求値に応じて運転部３３を制御する制御処理を実施する。なお、制御部３２は、電力消費計画算出部３２ａ、および運転制御部３２ｂを備える。
【００２３】
運転部３３は、電力によって動作する装置である。操作部３４は、操作者からの操作により入力される入力値を受ける。本実施形態の負荷機器３０ａ・・・３０ｚとしては、例えば、ヒートポンプ式給湯器、空調装置、および蓄電池等が採用される。
【００２４】
次に、本実施形態の負荷機器３０ａ・・・３０ｚの運転部３３の具体例として、給湯するためのヒートポンプ式給湯器３３Ａの構成を示す。
【００２５】
ヒートポンプ式給湯器３３Ａは、ヒートポンプユニット４０、およびタンクユニット５０、および追い焚き装置７０を備える。
【００２６】
タンクユニット５０は、導入管６１によって最下部に水が供給される貯湯タンク６０等を含む。貯湯タンク６０は、給湯に用いる給湯用水を貯える容器である。
【００２７】
貯湯タンク６０は略円筒形形状であり、その底面に導入口６０ａが設けられている。この導入口６０ａには貯湯タンク６０内に水道水を供給する導入用流路としての導入管６１が接続されている。
【００２８】
また、導入管６１には、導入口６０ａの上流側の部位から分岐する給水管６１Ａが設けられている。給水管６１Ａの下流端は、給湯用混合弁６５に接続されている。
【００２９】
貯湯タンク６０の最上部には、高温導出口６０ｂが設けられ、この高温導出口６０ｂには貯湯タンク６０内に貯えられた給湯用の湯のうち、高温の湯を導出するための給湯用流路としての高温取出管６２が接続されている。
【００３０】
タンクの中間部６０ｃには、中間部配管６０ｃ１の一端が接続されている。中間部配管６０ｃ１の他端は、中温用混合弁６４によって高温取出管６２に接続されている。中間部６０ｃは、例えば、貯湯タンク６０の高さ寸法を三等分し、上から順番に、上部（高温湯領域ともいう）、中間部（中温湯領域ともいう）、下部（低温湯領域ともいう）と区画した場合、中間部に含まれる部位に設けられる。
【００３１】
中温用混合弁６４は、タンクの中間部６０ｃからの中間温度の湯と高温導出口６０ｂからの高温の湯とを混合して混合配管６２ａを通して給湯用混合弁６５に出湯する。中温用混合弁６４は、タンクの中間部６０ｃからの中間温度の湯と高温導出口６０ｂからの高温の湯と混合比率を調整して給湯用混合弁６５に出湯する湯の温度を調整する電磁弁である。
【００３２】
給湯用混合弁６５は、給水管６１Ａからの水と中温用混合弁６４からのお湯とを混合して湯張り用電磁弁６８を通して浴槽水回路７２に出湯する。給湯用混合弁６５は、給水管６１Ａからの水と中温用混合弁６４からのお湯との混合比率を調整して浴槽水回路７２に出湯するお湯の温度を調整する電磁弁である。給湯用混合弁６５の出口は、湯張り用電磁弁６８を通して浴槽水回路７２に接続されている。
【００３３】
貯湯タンク６０の導入口６０ａとヒートポンプユニット４０の水入口との間には、配管７１ａが接続されている。ヒートポンプユニット４０の水出口と追い焚き用熱交換器７３の水入口との間には、配管７１ｂが接続されている。追い焚き用熱交換器７３の水出口と貯湯タンク６０の中間部６０ｄの間には、追い焚きポンプ７５が接続されている。
【００３４】
ヒートポンプユニット４０は、圧縮機、水冷媒熱交換器、減圧弁、蒸発器などを備え、二酸化炭素を冷媒とするヒートポンプサイクルを構成し、高圧冷媒により貯湯タンク６０の導入口６０ａからの水を加熱する。
【００３５】
貯湯タンク６０およびヒートポンプユニット４０の間において、配管７１ａ、７１ｂ、追い焚き用熱交換器７３、追い焚きポンプ７５を介して温水を循環させる循環回路７１を構成する。追い焚きポンプ７５は、温水を圧送して温水を循環回路７１で循環させる電動ポンプである。
【００３６】
追い焚き用熱交換器７３は、風呂循環ポンプ６７とともに、貯湯タンク６０内の湯と浴槽８０内の浴槽水との間で熱交換して浴槽８０内の浴槽水の温度を上昇させる追い焚き運転する追い焚き装置７０を構成する。風呂循環ポンプ６７は、浴槽８０内の浴槽水を追い焚き用熱交換器７３に圧送する電動ポンプである。
【００３７】
ヒートポンプユニット４０、中温用混合弁６４、給湯用混合弁６５、風呂循環ポンプ６７、追い焚きポンプ７５、および湯張り用電磁弁６８は、制御部３２によって制御されて、給湯運転が実施される。
【００３８】
このように構成される本実施形態のヒートポンプ式給湯器３３Ａは次のように作動する。
【００３９】
まず、追い焚きポンプ７５を作動させて、貯湯タンク６０およびヒートポンプユニット４０の間において循環回路７１を通して水を循環させる。このため、ヒートポンプユニット４０は、貯湯タンク６０の導入口６０ａからの水を高圧冷媒により加熱する。この加熱された高温の温水は、追い焚き用熱交換器７３および追い焚きポンプ７５を通して貯湯タンク６０の中間部６０ｄに流れる。これにより、貯湯タンク６０内の温水の温度が上昇することになる。
【００４０】
次に、湯張り用電磁弁６８を開弁した状態で、中温用混合弁６４は、タンクの中間部６０ｃからの中間温度の湯と高温導出口６０ｂからの高温の湯とを混合して給湯用混合弁６５に出湯する。これに伴い、給湯用混合弁６５は、給水管６１Ａからの水と中温用混合弁６４からのお湯とを混合して湯張り用電磁弁６８を通して浴槽水回路７２に出湯する。
【００４１】
このとき、給湯用混合弁６５から浴槽水回路７２に出湯された温水は、浴槽水回路７２および追い焚き用熱交換器７３を通して浴槽８０に流れる（図４中黒塗り矢印：２次側流れ参照）。このため、温水を浴槽８０に貯めることができる。
【００４２】
また、湯張り用電磁弁６８を閉弁した状態で、追い焚きポンプ７５を作動させて、貯湯タンク６０およびヒートポンプユニット４０の間において循環回路７１を通して水を循環させる。
【００４３】
これに加えて、風呂循環ポンプ６７を作動させて、浴槽水回路７２および風呂循環ポンプ６７を通して追い焚き用熱交換器７３および浴槽８０の間でお湯を循環させる。このことにより、追い焚き用熱交換器７３において、浴槽８０からの温水とヒートポンプユニット４０の配管７１ｂからの高温温水との間で熱交換されて浴槽８０からの温水が加熱される。この加熱された温水が浴槽８０に流れる。浴槽８０内の温水を追い焚きすることになる。
【００４４】
次に、本実施形態のエネルギーマネージメントシステム１の作動について図４を参照して説明する。
【００４５】
まず、エネルギーマネージメント機器２０が、負荷機器３０ａ・・・３０ｚへ電力消費計画を問い合わせる（ステップ１００）。
【００４６】
すると、負荷機器３０ａ・・・３０ｚは、それぞれ、少なくとも１つ以上の消費電力の計画値を含む電力消費計画を求める（ステップ１１０）。
【００４７】
具体的には、消費電力の計画値としては、負荷機器３０ａ・・・３０ｚにおいて、運転部３３の動作に伴って消費が可能である電力の上限値、および下限値を用いることができる。或いは、消費電力の計画値としては、運転部３３で動作可能である能力毎の消費電力を用いることができる。
【００４８】
例えば、ヒートポンプ式給湯器の場合には、運転部３３で動作可能である給湯能力毎の消費電力を消費電力の計画値として用いることができる。
【００４９】
高い給湯能力であるときには消費電力が○○ｋＷｈであり、標準給湯能力であるときには、消費電力が△△ｋＷｈであり、低給湯能力であるときには、消費電力が××ｋＷｈである場合には、高い給湯能力、標準給湯能力、低給湯能力のそれぞれの消費電力（○○ｋＷｈ、△△ｋＷｈ、××ｋＷｈ）を消費電力の計画値とする電力消費計画を求めることになる。
【００５０】
空調装置の場合には、運転部３３で動作可能である暖房能力毎の消費電力、或いは運転部３３で動作可能である冷房能力毎の消費電力を用いることができる。ここで、電力消費計画に対してどのような消費電力の計画値を採用するかについては、操作者から操作部３４へ入力される入力値に基づき決定される。
【００５１】
このように１つの消費電力の計画値、或いは、互いに異なる複数の消費電力の計画値を含む電力消費計画が負荷機器毎に求められる。
【００５２】
次に、負荷機器３０ａ・・・３０ｚは、それぞれ、電力消費計画をエネルギーマネージメント機器２０に通信ネットワーク２を通して送信する（ステップ１２０）。このことにより、負荷機器３０ａ・・・３０ｚは、それぞれ、電力消費計画をエネルギーマネージメント機器２０に提示することができる。
【００５３】
次に、エネルギーマネージメント機器２０が、負荷機器３０ａ・・・３０ｚからの電力消費計画を受信してこの受信した負荷機器毎の電力消費計画を集計するとともに、この集計した集計結果に基づいて負荷機器３０ａ・・・３０ｚへ要求するべき消費電力の要求値を組み合わせる（ステップ１３０）。
【００５４】
エネルギーマネージメント機器２０は、負荷機器毎の消費電力の要求値を、消費電力の計画値に対応させるように負荷機器毎の消費電力の要求値を選定する。この際に、エネルギーマネージメント機器２０は、負荷機器３０ａ・・・３０ｚのそれぞれの消費電力の要求値の総計ＰＹをエネルギー統括装置１０から受信される消費電力推奨値ＰＳに近づけるように、負荷機器毎の消費電力の要求値を選定する。
【００５５】
負荷機器３０ａ・・・３０ｚのそれぞれの消費電力の要求値をＤａ、Ｄｂ、Ｄｃ・・・・Ｄｚとしたとき、エネルギーマネージメント機器２０は、Ｄａ、Ｄｂ、Ｄｃ・・・・Ｄｚを加算した総計ＰＹ（＝Ｄａ＋Ｄｂ＋Ｄｃ＋・・・・＋Ｄｚ）を消費電力推奨値ＰＳに近づけるように、負荷機器毎の消費電力の要求値を選定する。
【００５６】
例えば、負荷機器３０ａが、互いに異なる複数の消費電力の計画値を含む電力消費計画をエネルギーマネージメント機器２０に提示した場合、エネルギーマネージメント機器２０は、互いに異なる複数の消費電力の計画値のうち１つの消費電力の計画値に対応した消費電力の要求値を選定する。
【００５７】
より具体的には、負荷機器３０ａが、互いに異なる複数の消費電力の計画値として運転部３３で動作可能である能力毎の消費電力を採用した場合には、エネルギーマネージメント機器２０は、電力の要求値の総計ＰＹが消費電力推奨値ＰＳにより近づけるように、互いに異なる複数の消費電力の計画値のうち１つの消費電力の計画値を消費電力の要求値として選定する。
【００５８】
或いは、負荷機器３０ａが、消費電力の計画値としては、運転部３３の動作に伴って消費可能である電力の上限値、および下限値を採用する場合には、エネルギーマネージメント機器２０は、消費電力の要求値の総計ＰＹが消費電力推奨値ＰＳにより近づくように、上述した上限値および下限値の間の範囲内の値を消費電力の要求値として選定する。
【００５９】
このように、エネルギーマネージメント機器２０は、消費電力の要求値を負荷機器３０ａ・・・３０ｚにおいて動作に伴って消費可能である電力の範囲内で選定することができる。
【００６０】
次に、エネルギーマネージメント機器２０は、負荷機器３０ａ・・・３０ｚのそれぞれの消費電力の要求値を通信ネットワーク２を通して負荷機器３０ａ・・・３０ｚに送信する（ステップ１４０）。
【００６１】
次に、負荷機器３０ａ・・・３０ｚは、エネルギーマネージメント機器２０からの消費電力の要求値を受信すると、この消費電力の要求値に沿って運転部３３が運転される。このため、負荷機器３０ａ・・・３０ｚはそれぞれの消費電力を消費電力の要求値に近づけるように動作する。
【００６２】
このようなステップ１００、ステップ１１０、ステップ１２０、ステップ１３０、ステップ１４０、ステップ１５０のれぞれの作動が繰り返される。
【００６３】
このため、エネルギーマネージメント機器２０は、負荷機器３０ａ〜３０ｚから受信した消費電力計画の集計結果に基づいて、負荷機器３０ａ〜３０ｚへの消費電力の要求値の総計ＰＹをエネルギー統括装置１０から提示される消費電力推奨値ＰＳに近づけるように負荷機器３０ａ〜３０ｚの消費電力の要求値を組み合わせる。
【００６４】
このため、エネルギー統括装置１０から提示される消費電力推奨値ＰＳが変化した場合であっても、エネルギーマネージメント機器２０は、消費電力推奨値ＰＳに合わせて負荷機器毎の消費電力の要求値を負荷機器３０ａ〜３０ｚで動作可能である消費電力の範囲内で選定することになる。
【００６５】
これに伴い、負荷機器３０ａ・・・３０ｚはそれぞれの消費電力を消費電力の要求値に近づけるように動作する。これにより、電力会社が保有する電力系統における電力の需要と供給とを合わせることができる。
【００６６】
以上説明した本実施形態によれば、エネルギーマネージメントシステム１は、負荷機器３０ａ〜３０ｚとエネルギーマネージメント機器２０とを備える。負荷機器３０ａ〜３０ｚは、それぞれ、電力によって動作が可能に構成され、動作に伴う消費電力の計画値を少なくとも１つ以上含む消費電力計画を通信ネットワーク２を通してエネルギーマネージメント機器２０に送信する通信部３１を備える。
【００６７】
エネルギーマネージメント機器２０は、負荷機器３０ａ〜３０ｚから受信した消費電力計画の集計結果に基づいて、負荷機器３０ａ〜３０ｚへの消費電力の要求値の総計ＰＹをエネルギー統括装置１０から受信される消費電力推奨値ＰＳに近づけるように、負荷機器３０ａ〜３０ｚへ要求すべき消費電力の要求値を組み合わせる。
【００６８】
これにより、電力会社が有する電力系統における電力の需要と供給とを合わせつつ、負荷機器毎の消費電力の要求値を負荷機器３０ａ〜３０ｚで動作に伴って消費可能である消費電力の範囲内で選定することができる。
【００６９】
本実施形態では、負荷機器３０ａ〜３０ｚは、互いに異なる複数の消費電力の計画値を含む消費電力計画をエネルギーマネージメント機器２０に送信する。これにより、負荷機器３０ａ〜３０ｚは、互いに異なる複数の消費電力の計画値をエネルギーマネージメント機器２０に提示することができる。
【００７０】
したがって、エネルギーマネージメント機器２０にとって選択すべき消費電力の要求値の選択肢が広がることになる。このため、エネルギーマネージメント機器２０は、負荷機器３０ａ〜３０ｚから１つの消費電力の計画値を提示される場合に比べて、負荷機器毎の消費電力の要求値を選定することを容易に行うことができる。
【００７１】
本実施形態では、消費電力の計画値として、負荷機器３０ａ〜３０ｚにおいて動作に伴って消費可能である電力の上限値、および電力の下限値が採用されている。このため、エネルギーマネージメント機器２０にとって、電力の上限値、および電力の下限値の間の範囲内から選択すべき消費電力の要求値を選択することになる。よって、エネルギーマネージメント機器２０は、負荷機器毎の消費電力の要求値を容易に選定することができる。
【００７２】
以上のように、負荷機器毎の消費電力の要求値が動作に伴って消費可能である消費電力の範囲内で選定される。このため、負荷機器３０ａ〜３０ｚを管理する需要家にとって負荷機器毎の消費電力の要求値を受け入れ易くなる。
【００７３】
したがって、エネルギーマネージメント機器２０は、負荷機器３０ａ〜３０ｚが消費電力の要求値を受け入れることに対して負荷機器３０ａ〜３０ｚにインセンティブを与える。このことにより、需要家において、電力系統における電力の需要と供給とを合わせることに参加する意欲を高めることができる。
【００７４】
（他の実施形態）
（１）上記実施形態では、エネルギーマネージメント機器２０は、電力会社が保有する電力系統から電力供給される負荷機器３０ａ〜３０ｚの消費電力の要求値を選定する例について説明したが、これに限らず、次のようにしてもよい。
【００７５】
すなわち、負荷機器３０ａ〜３０ｚを、電力の需要家の家屋内の電力系統から電力供給される負荷機器とする。エネルギーマネージメント機器２０は、負荷機器３０ａ〜３０ｚへ要求すべき消費電力の要求値を負荷機器３０ａ〜３０ｚで動作に伴って消費可能である消費電力の範囲内で選定する。
【００７６】
この際に、エネルギーマネージメント機器２０は、負荷機器３０ａ・・・３０ｚに要求すべき消費電力の要求値の総計を消費電力推奨値に近づけるように負荷機器３０ａ〜３０ｚの消費電力の要求値を組み合わせることになる。消費電力推奨値としては、家屋内で消費される消費電力の最小値を用いてもよい。
【００７７】
（２）上記実施形態では、負荷機器３０ａ・・・３０ｚからエネルギーマネージメント機器２０に提示する消費電力の計画値としては、消費電力を示す情報を用いた例について説明したが、これに代えて、次のようにしてもよい。
【００７８】
すなわち、消費電力の計画値としては、消費電力自体ではなく、負荷機器３０ａ・・・３０ｚの消費電力を予測できる情報を用いてもよい。負荷機器３０ａ・・・３０ｚがヒートポンプ式給湯器の場合には、加熱能力や沸き上げ温度を消費電力の計画値として用いてもい。
【００７９】
（３）なお、本発明は上記した実施形態に限定されるものではなく、特許請求の範囲に記載した範囲内において適宜変更が可能である。また、上記実施形態および他の実施形態は、互いに無関係なものではなく、組み合わせが明らかに不可な場合を除き、適宜組み合わせが可能である。また、上記実施形態および他の実施形態において、実施形態を構成する要素は、特に必須であると明示した場合および原理的に明らかに必須であると考えられる場合等を除き、必ずしも必須のものではないことは言うまでもない。
【００８０】
（まとめ）
上記実施形態、および他の実施形態の一部または全部に記載された第１の観点によれば、
エネルギーマネージメントシステムは、エネルギーマネージメント機器と、電力によって動作が可能に構成され、動作に伴う消費電力の計画値を少なくとも１つ以上含む消費電力計画をエネルギーマネージメント機器に送信する負荷機器とを備える。
【００８１】
エネルギーマネージメント機器は、負荷機器からの消費電力計画を集計してこの集計された結果に基づいて、負荷機器に対して消費を要求すべき消費電力の要求値を負荷機器において動作に伴って消費可能な電力の範囲内で選定する。
【００８２】
第２の観点によれば、エネルギーマネージメント機器は、選定された消費電力の要求値を負荷機器に送信する。
【００８３】
第３の観点によれば、エネルギーマネージメントシステムにおいて、負荷機器は、その消費電力をエネルギーマネージメント機器から受信した消費電力の要求値に近づけるように動作する。
【００８４】
第４の観点によれば、エネルギーマネージメントシステムは、複数の負荷機器を備える。
【００８５】
エネルギーマネージメント機器は、複数の負荷機器から受信した消費電力計画を集計してこの集計された結果に基づいて、負荷機器毎の消費電力の要求値を負荷機器において動作に伴って消費可能な電力の範囲内で選定する。
【００８６】
第５の観点によれば、エネルギーマネージメント機器は、電力によって動作が可能に構成され、動作に伴う消費電力の計画値を少なくとも１つ以上含む消費電力計画をエネルギーマネージメント機器に送信する負荷機器を備えるエネルギーマネージメントシステムに適用される。
【００８７】
エネルギーマネージメント機器は、負荷機器から受信した消費電力計画を集計してこの集計された結果に基づいて、負荷機器に対して消費を要求すべき消費電力の要求値を負荷機器において動作に伴って消費可能な電力の範囲内で選定する。
【００８８】
これにより、エネルギーマネジメントシステムに適したエネルギーマネージメント機器、を提供することができる。
【００８９】
第６の観点によれば、負荷機器は、エネルギーマネージメント機器を備えるエネルギーマネージメントシステムに適用される。負荷機器は、電力によって動作が可能に構成され、動作に伴う消費電力の計画値を少なくとも１つ以上含む消費電力計画をエネルギーマネージメント機器に送信する送信部を備える。
【００９０】
これにより、エネルギーマネジメントシステムに適したおよび負荷機器を提供することができる。
【００９１】
第７の観点によれば、負荷機器において、送信部は、互いに異なる複数の消費電力の計画値を含む消費電力計画をエネルギーマネージメント機器に送信する。
【００９２】
これにより、エネルギーマネージメント機器にとって、負荷機器への消費電力の要求値を容易に選定することができる。
【００９３】
第８の観点によれば、負荷機器において、消費電力の計画値は、動作に伴って消費が可能である電力の上限値、および電力の下限値を示している。
【００９４】
これにより、エネルギーマネージメント機器にとって、電力の上限値、および電力の下限値の間の範囲内から負荷機器への消費電力の要求値を容易に選定することになる。このため、エネルギーマネージメント機器にとって、負荷機器への消費電力の要求値を容易に選定することができる。
【符号の説明】
【００９５】
１    エネルギーマネージメントシステム
１０    エネルギー統括装置
２０    エネルギーマネージメント機器
３０    負荷機器
３１    通信部
３２    制御部
３３    運転部
３４    操作部
【図１】
2019041501.tif 000003
【図２】
2019041501.tif 000004
【図３】
2019041501.tif 000005
【図４】
2019041501.tif 000006
【図５】
2019041501.tif 000007